(57)【特許請求の範囲】
【請求項１】
机の天板下方の後側に設けられるディスプレイ収納部内には、ディスプレイを収納部内から天板上方までの間で昇降させる昇降台が設けられるとともに、前記ディスプレイ収納部の前方には、天板上に上昇された前記ディスプレイの少なくとも前方に立設されるパネルを収納するパネル収納部が形成されており、該パネル収納部内には前記パネルが上下方向に移動可能に案内されるガイド部材が固着されており、前記パネルが前記天板下方に設けられたパネル収納部から天板上方までの間を昇降自在であり、前記パネルの天板上方までの引き上げ時、上昇時のディスプレイの前方を覆えるようになっていることを特徴とするディスプレイを内蔵する机。
【発明の詳細な説明】
【０００１】
【発明の属する技術分野】
本発明は、パソコンやテレビ等に用いられるディスプレイを内蔵する机に関する。
【０００２】
【従来の技術】
従来、パソコン等のディスプレイが机の天板上に出没自在に装着された机として、例えば特公平６−２２４８６号公報や、特開昭６３−４３６０７号公報等が開示されている。これらの机は、使用時においてディスプレイが天板上に出現され、非使用時においてはディスプレイが天板下方に収納されて、天板上面を広く有効に利用することが出来るようになっている。
【０００３】
【発明が解決しようとする課題】
しかしながら、このようにディスプレイが昇降自在に設けられた机において、例えばパネルを机の側辺部に設け、パネルを特に書類等をピンナップするためのピンナップボードとして利用しようとする場合、パネルがディスプレイの背面側に位置するために、天板上に立設されたパネルの一部が利用出来なくなることがあった。
【０００４】
本発明は、このような問題点に着目してなされたもので、ディスプレイが天板上に出現されている状態にあっても、天板上に立設されるパネルを効率よく利用することが出来るディスプレイを内蔵する机を提供することを目的とする。
【０００５】
【課題を解決するための手段】
上記課題を解決するために、本発明のディスプレイを内蔵する机は、机の天板下方の後側に設けられるディスプレイ収納部内には、ディスプレイを収納部内から天板上方までの間で昇降させる昇降台が設けられるとともに、前記ディスプレイ収納部の前方には、天板上に上昇された前記ディスプレイの少なくとも前方に立設されるパネルを収納するパネル収納部が形成されており、該パネル収納部内には前記パネルが上下方向に移動可能に案内されるガイド部材が固着されており、前記パネルが前記天板下方に設けられたパネル収納部から天板上方までの間を昇降自在であり、前記パネルの天板上方までの引き上げ時、上昇時のディスプレイの前方を覆えるようになっていることを特徴としている。
この特徴によれば、ディスプレイが天板上に上昇された状態においてパネルを天板上に立設させても、使用者側からパネルの前面がディスプレイにより遮られることがないので、パネルの前面を有効に利用することが出来る。また、不要なときはパネルは天板下方に収納することが出来るので、ディスプレイの使用の邪魔になることがない。
【０００６】
【発明の実施の形態】
以下、本発明の実施例を図面に基づいて説明すると、まず図１には本発明の実施例としてのディスプレイが内蔵された机１が示されており、２は天板、３、３は天板２を支持する脚体、４は特に図示しないコンピュータの本体部にケーブルを介して接続されたディスプレイ、５、５’は天板２上に出没自在に設けられたパネルをそれぞれ示している。このパネル５、５’は、本実施例においては主に前面に書類や写真等をピンナップすることが可能なピンナップボードとして利用することを目的として形成されている。
【０００７】
天板２の後側には、図２、３に示されるようにディスプレイ４を天板２上に出没自在とする開口部６が形成されており、この開口部６の下方には、天板２、脚体３、背板７、底板８、仕切板９、及び前記開口部６を開閉自在とする開閉蓋１０とから構成されるディスプレイ４の収納部Ｓ１が形成されている。本実施例における開閉蓋１０は、開閉動作が後述する昇降台１９を昇降させるモーター１４の駆動に連動して駆動する適宜モーター（図示略）により行われるようになっている。
【０００８】
また、天板２上におけるこの開口部６の前方位置には、パネル５、５’を天板２上に出没自在とする開口部１１、１１’が形成されており、この開口部１１、１１’の下方には、天板２、脚体３、底板８、仕切板９、幕板１２とから構成されるパネル５、５’の収納部Ｓ２が形成されている。
【０００９】
ディスプレイ４の収納部Ｓ１内には、ディスプレイ４を収納部Ｓ１内と天板２上との間を昇降可能とする昇降装置１３が設けられている。昇降装置１３は、底板８上に固設されるモーター１４と、収納部Ｓ１内上・下部、及び上下方向略中央部に、それぞれ後述する案内レール２３、２３間に水平方向に架設される軸部材１５ａ、１５ｂ、１５ｃに固着されたスプロケット１６ａ、１６ｂ、１６ｃに巻回されたチェーン１７と、このチェーン１７の所定箇所に固定部材１８を介して固定され、チェーン１７の駆動に伴い昇降するディスプレイ４の昇降台１９とから構成されている。
【００１０】
なお、図２に示されるように下方の軸部材１５ｂは、この一端部に固着されたプーリー２７と、モーター１４の駆動軸１４ａに固着されたプーリー１４ｂとに巻回された連結ベルト２０を介してモーター１４に連動されており、モーター１４の駆動によりチェーン１７が駆動するようになっている。また、このモーター１４の駆動、停止操作は、本実施例においては天板２の開口部６の隣に設けられたスイッチ２１を介して出来るようになっているが、別途箇所に設けられていてもよい。さらに、スイッチ２１の押圧操作により駆動するモーター１４の駆動量、駆動開始・停止制御等は、図示しない制御装置により行われ、種々に設定出来るようになっている。
【００１１】
ディスプレイ支持部としての昇降台１９の上面には、ディスプレイ４を載置可能な水平な載置面２２が形成されている。また、この昇降台１９の後部には前述したチェーン１７の挿通用の凹部１９ａが形成されており、この凹部１９ａ内には、背板７の内面に、互いに外向きに開口するように上下方向に設けられた横断面略Ｃ字状の案内レール２３、２３、及び前述したチェーン１７が挿通されている。そして凹部１９ａの両内側面には、案内レール２３内を上下方向に摺動自在に案内されるガイドローラ２４の軸２５が取付板２６を介して固着されているので、昇降台１９は案内レール２３を介して上下方向に移動可能に支持されている。
【００１２】
次に、パネル５、５’の説明を図２、３に基づいて説明すると、収納部Ｓ２内における仕切板９の内面には、先端がパネル５、５’の両側端にそれぞれ上下方向に形成される凹溝２８内に摺動自在に嵌合するガイド部材２９が固着されており、パネル５、５’が上下方向に移動可能に案内されるようになっている。
【００１３】
パネル５、５’には、パネル５、５’の後面下部に固着された巻取ローラ３０と、一端が仕切板９の上端に固着され、他端が巻取ローラ３０に固着された巻バネ３１とからなる定荷重バネ装置３２が設けられており、巻取ローラ３０に巻き付こうとする力でパネル５、５’が上方に付勢されており、パネル５、５’は収納位置にある時に、仕切板９の下端に固着された係止装置３３のパネル５、５’方向に付勢された係止ピン３４がパネル５、５’下部所定箇所に形成された係止凹部３５に係止されるようになっている。
【００１４】
この係止ピン３４と係止凹部３５との係止はパネル５、５’が収納位置にあるときに、天板２上に突出されるパネル５、５’の上端を上方に引き上げることで簡単に逸脱され、かつパネル５、５’を押し込むことで簡単に係止されるようになっている。よってパネル５、５’は定荷重バネ装置３２により小さな力で簡単に上方に引き上げることが出来るとともに、上方位置において巻バネ３１の巻き取り力により停止され、さらに下方に押圧すれば簡単に収納させることが出来るようになっている。
【００１５】
次に、このように構成された本発明の机１にあっては、ディスプレイ４を使用する場合、スイッチ２１をＯＮ操作することによりモーター１４が駆動され、まず図２に示されるように通常時において天板２の一部を構成する開閉蓋１０が開放され、ついで昇降台１９が収納部Ｓ１内下部の実線位置から上昇し、２点鎖線で示される位置にて停止され、ディスプレイ４が天板２上にて使用可能な状態となる。また、ディスプレイ４を収納する場合、ディスプレイ４が天板２上にある状態でスイッチ２１をＯＮ操作することによりモーター１４が逆駆動され、昇降台１９が収納部Ｓ１内に下降されるとともに、開閉蓋１０が閉塞されて天板２上面の一部として有効に利用することが出来る。
【００１６】
また、パネル５、５’は、例えばピンナップボードとして利用したい場合等において天板２上に突出された上端部を引き上げることで天板２上に容易に立設出来、不要なときは下方に押圧するだけで収納部Ｓ２内に簡単に収納しておくことが出来る。そしてこのパネル５、５’のうち、特にパネル５においては、ディスプレイ４の前方位置において収納、及び立設可能に設けられているため、ディスプレイ４が天板２上の使用状態にある場合においても、パネル５の前面がディスプレイ４により遮られることなく使用者はパネル５を利用することが出来る。
【００１７】
さらに、本実施例におけるパネル５、５’は天板２の左右にそれぞれ分割されているので、いずれか一方のパネルを使用状態とし、他方を収納させて利用することも可能である。
【００１８】
以上、本発明の実施例を図面により説明してきたが、具体的な構成はこれら実施例に限られるものではなく、本発明の要旨を逸脱しない範囲における変更や追加があっても本発明に含まれる。
【００１９】
例えば、本実施例において左右のパネル５、５’はそれぞれディスプレイ４の収納部Ｓ１の前方に形成されていたが、特にディスプレイ４の前方がパネルにより覆われれば、他方のパネル５は天板２の後側辺部に形成されていてもよい。
【００２０】
また、ディスプレイ４及びパネル５、５’の昇降方法に関しては本実施例のものに限らず、手動、自動、あるいは他の機構により昇降自在に設けられていてもよい。
【００２１】
【発明の効果】
本発明によれば、ディスプレイが天板上に上昇された状態においてパネルを天板上に立設させても、使用者側からパネルの前面がディスプレイにより遮られることがないので、パネルの前面を有効に利用することが出来る。また、不要なときはパネルは天板下方に収納することが出来るので、ディスプレイの使用の邪魔になることがない。
【００２２】
【図面の簡単な説明】
【図１】本発明の実施例としてのディスプレイを内蔵する机の使用状態を示す斜視図である。
【図２】図１のＡ−Ａ断面図である。
【図３】図２のＢ−Ｂ断面図である。
【符号の説明】
１            机
２            天板
３            脚体
４            ディスプレイ
５、５’      パネル
６、１１      開口部
７            背板
８            底板
９            仕切板
１０            開閉蓋
１２            幕板
１３            昇降装置
１４            モーター
１４ａ          駆動軸
１４ｂ、２７    プーリー
１５ａ〜１５ｃ  軸部材
１６ａ〜１６ｃ  スプロケット
１７            チェーン
１８            固定部材
１９            昇降台
１９ａ          凹部
２０            連結ベルト
２１            スイッチ
２２            載置面
２３            案内レール
２４            ガイドローラ
２５            軸
２６            取付板
２８            凹溝
２９            ガイドレール
３０            巻取ローラ
３１            巻バネ
３２            定荷重バネ装置
３３            係止装置
３４            係止ピン
３５            係止凹部
３６            ガイド部材
Ｓ１、Ｓ２      収納部
【図１】
0004046419.tif 000002
【図２】
0004046419.tif 000003
【図３】
0004046419.tif 000004